(57)【要約】【課題】医用情報を管理する医用画像管理装置において、保存されている全てのデータを移行可能とする。【解決手段】医用情報を記憶する記憶部を備える医用画像管理装置において、当該医用画像管理装置から他の医用画像管理装置に記憶部に記憶されている医用情報を移行する際に、移行対象データが画像ファイルでない場合には（ステップＳ２５；ＮＯ）、移行対象データに対して、イメージ変換処理を行い、画像ファイルを生成する（ステップＳ２６）。次に、移行対象データがＤＩＣＯＭ形式のファイルでない場合には（ステップＳ２７；ＮＯ）、移行対象データに対して、ＤＩＣＯＭ変換処理を行う（ステップＳ２８）。そして、データ移行先の他の医用画像管理装置へＤＩＣＯＭ形式のファイルを送信する（ステップＳ２９）。【選択図】図６
2017130076.tif 000002
【特許請求の範囲】
【請求項１】
医用情報を記憶する記憶手段を備える医用画像管理装置であって、
当該医用画像管理装置から他の医用画像管理装置に前記記憶手段に記憶されている医用情報を移行する際に、移行対象の医用情報が所定の形式のファイルであるか否かを判断する判断手段と、
前記判断手段により移行対象の医用情報が前記所定の形式のファイルでないと判断された場合に、当該移行対象の医用情報のファイル形式を変換する変換手段と、
前記判断手段により前記所定の形式のファイルであると判断された移行対象の医用情報、及び、前記変換手段により変換された後の移行対象の医用情報を前記他の医用画像管理装置に送信する送信手段と、
を備える医用画像管理装置。
【請求項２】
前記判断手段は、移行対象の医用情報が画像ファイルであるか否かを判断し、
前記変換手段は、前記判断手段により移行対象の医用情報が画像ファイルでないと判断された場合に、当該移行対象の医用情報を画像ファイルに変換し、当該画像ファイルをＤＩＣＯＭ形式のファイルに変換する請求項１に記載の医用画像管理装置。
【請求項３】
前記判断手段は、移行対象の医用情報が画像ファイルであるか否かを判断し、
前記変換手段は、前記判断手段により移行対象の医用情報が画像ファイルでないと判断された場合に、当該移行対象の医用情報をＰＤＦファイルに変換し、当該ＰＤＦファイルをＤＩＣＯＭ形式のファイルに変換する請求項１に記載の医用画像管理装置。
【請求項４】
前記変換手段により変換された移行対象の医用情報について、前記変換手段により変換される前の医用情報を、前記他の医用画像管理装置の所定のディレクトリー、又は、所定の記憶媒体に出力する出力手段を備える請求項１から３のいずれか一項に記載の医用画像管理装置。
【請求項５】
医用情報を記憶する記憶手段を備える医用画像管理装置から他の医用画像管理装置に前記記憶手段に記憶されている医用情報を移行するデータ移行方法であって、
移行対象の医用情報が所定の形式のファイルであるか否かを判断する判断工程と、
前記判断工程において移行対象の医用情報が前記所定の形式のファイルでないと判断された場合に、当該移行対象の医用情報のファイル形式を変換する変換工程と、
前記判断工程において前記所定の形式のファイルであると判断された移行対象の医用情報、及び、前記変換工程において変換された後の移行対象の医用情報を前記他の医用画像管理装置に送信する送信工程と、
を含むデータ移行方法。
【請求項６】
医用情報を記憶する記憶手段を備える医用画像管理装置のコンピューターを、
前記医用画像管理装置から他の医用画像管理装置に前記記憶手段に記憶されている医用情報を移行する際に、移行対象の医用情報が所定の形式のファイルであるか否かを判断する判断手段、
前記判断手段により移行対象の医用情報が前記所定の形式のファイルでないと判断された場合に、当該移行対象の医用情報のファイル形式を変換する変換手段、
前記判断手段により前記所定の形式のファイルであると判断された移行対象の医用情報、及び、前記変換手段により変換された後の移行対象の医用情報を前記他の医用画像管理装置に送信する送信手段、
として機能させるためのプログラム。
【請求項７】
第１医用画像管理装置と第２医用画像管理装置とがデータ通信可能に接続された医用画像管理システムであって、
前記第１医用画像管理装置は、
医用情報を記憶する記憶手段と、
前記第１医用画像管理装置から前記第２医用画像管理装置に前記記憶手段に記憶されている医用情報を移行する際に、移行対象の医用情報が所定の形式のファイルであるか否かを判断する判断手段と、
前記判断手段により移行対象の医用情報が前記所定の形式のファイルでないと判断された場合に、当該移行対象の医用情報のファイル形式を変換する変換手段と、
前記判断手段により前記所定の形式のファイルであると判断された移行対象の医用情報、及び、前記変換手段により変換された後の移行対象の医用情報を前記第２医用画像管理装置に送信する送信手段と、
を備える医用画像管理システム。
【発明の詳細な説明】
【技術分野】
【０００１】
本発明は、医用画像管理装置、データ移行方法、プログラム及び医用画像管理システムに関する。
【背景技術】
【０００２】
近年、医療の分野においても情報のデジタル化が進んでおり、カルテや処方箋等の情報が電子データとして管理されている。
医療機関の医師等の情報発信者と患者や薬剤師等の情報受信者の間のコミュニケーションを補助するために、例えば、情報発信者の端末装置から受信した電子ファイルをＷｅｂブラウザーで表示可能なファイル形式に変換するとともに、この変換した電子ファイルを情報受信者がインターネット等を介して閲覧可能なアドレスに保管する電子ファイル閲覧システムが提案されている（特許文献１参照）。このシステムにより、情報受信者は、情報発信者が送信した電子ファイルの種別に対応したビューアーを持っていなくても電子ファイルを閲覧することが可能となる。
【０００３】
また、様々なモダリティー（画像生成装置）により生成された医用画像については、ＰＡＣＳ（Picture Archiving and Communication System）等の医用画像管理装置により管理されている。
【先行技術文献】
【特許文献】
【０００４】
【特許文献１】特開２００３−１４１２６２号公報
【発明の概要】
【発明が解決しようとする課題】
【０００５】
しかしながら、医用情報を管理する医用画像管理装置は、メーカーや機種毎に管理・保存対象として許容されている電子ファイルのファイル形式が異なる。したがって、これまで使用していた医用画像管理装置から新しい医用画像管理装置へデータを移行する際に、新しい医用画像管理装置において許容されていないファイル形式の電子ファイルについては、データを移行できないという問題があった。
【０００６】
例えば、これまでＭｉｃｒｏｓｏｆｔ（登録商標）  Ｗｏｒｄ、Ｅｘｃｅｌ（登録商標）、ＰＤＦ（Portable Document Format）等の形式の電子ファイルも取り扱うことが可能な医用画像管理装置を使用していた医療機関において、新しい医用画像管理装置に切り替える際に、この新しい医用画像管理装置がＤＩＣＯＭ（Digital Imaging and Communications in Medicine）規格に準拠したＤＩＣＯＭ形式のファイル以外のファイル形式に対応していない場合、データの移行自体ができなくなる。
【０００７】
本発明は、上記の従来技術における問題に鑑みてなされたものであって、医用情報を管理する医用画像管理装置において、保存されている全てのデータを移行可能とすることを課題とする。
【課題を解決するための手段】
【０００８】
上記課題を解決するために、請求項１に記載の発明は、医用情報を記憶する記憶手段を備える医用画像管理装置であって、当該医用画像管理装置から他の医用画像管理装置に前記記憶手段に記憶されている医用情報を移行する際に、移行対象の医用情報が所定の形式のファイルであるか否かを判断する判断手段と、前記判断手段により移行対象の医用情報が前記所定の形式のファイルでないと判断された場合に、当該移行対象の医用情報のファイル形式を変換する変換手段と、前記判断手段により前記所定の形式のファイルであると判断された移行対象の医用情報、及び、前記変換手段により変換された後の移行対象の医用情報を前記他の医用画像管理装置に送信する送信手段と、を備える。
【０００９】
請求項２に記載の発明は、請求項１に記載の医用画像管理装置において、前記判断手段は、移行対象の医用情報が画像ファイルであるか否かを判断し、前記変換手段は、前記判断手段により移行対象の医用情報が画像ファイルでないと判断された場合に、当該移行対象の医用情報を画像ファイルに変換し、当該画像ファイルをＤＩＣＯＭ形式のファイルに変換する。
【００１０】
請求項３に記載の発明は、請求項１に記載の医用画像管理装置において、前記判断手段は、移行対象の医用情報が画像ファイルであるか否かを判断し、前記変換手段は、前記判断手段により移行対象の医用情報が画像ファイルでないと判断された場合に、当該移行対象の医用情報をＰＤＦファイルに変換し、当該ＰＤＦファイルをＤＩＣＯＭ形式のファイルに変換する。
【００１１】
請求項４に記載の発明は、請求項１から３のいずれか一項に記載の医用画像管理装置において、前記変換手段により変換された移行対象の医用情報について、前記変換手段により変換される前の医用情報を、前記他の医用画像管理装置の所定のディレクトリー、又は、所定の記憶媒体に出力する出力手段を備える。
【００１２】
請求項５に記載の発明は、医用情報を記憶する記憶手段を備える医用画像管理装置から他の医用画像管理装置に前記記憶手段に記憶されている医用情報を移行するデータ移行方法であって、移行対象の医用情報が所定の形式のファイルであるか否かを判断する判断工程と、前記判断工程において移行対象の医用情報が前記所定の形式のファイルでないと判断された場合に、当該移行対象の医用情報のファイル形式を変換する変換工程と、前記判断工程において前記所定の形式のファイルであると判断された移行対象の医用情報、及び、前記変換工程において変換された後の移行対象の医用情報を前記他の医用画像管理装置に送信する送信工程と、を含む。
【００１３】
請求項６に記載の発明は、医用情報を記憶する記憶手段を備える医用画像管理装置のコンピューターを、前記医用画像管理装置から他の医用画像管理装置に前記記憶手段に記憶されている医用情報を移行する際に、移行対象の医用情報が所定の形式のファイルであるか否かを判断する判断手段、前記判断手段により移行対象の医用情報が前記所定の形式のファイルでないと判断された場合に、当該移行対象の医用情報のファイル形式を変換する変換手段、前記判断手段により前記所定の形式のファイルであると判断された移行対象の医用情報、及び、前記変換手段により変換された後の移行対象の医用情報を前記他の医用画像管理装置に送信する送信手段、として機能させるためのプログラムである。
【００１４】
請求項７に記載の発明は、第１医用画像管理装置と第２医用画像管理装置とがデータ通信可能に接続された医用画像管理システムであって、前記第１医用画像管理装置は、医用情報を記憶する記憶手段と、前記第１医用画像管理装置から前記第２医用画像管理装置に前記記憶手段に記憶されている医用情報を移行する際に、移行対象の医用情報が所定の形式のファイルであるか否かを判断する判断手段と、前記判断手段により移行対象の医用情報が前記所定の形式のファイルでないと判断された場合に、当該移行対象の医用情報のファイル形式を変換する変換手段と、前記判断手段により前記所定の形式のファイルであると判断された移行対象の医用情報、及び、前記変換手段により変換された後の移行対象の医用情報を前記第２医用画像管理装置に送信する送信手段と、を備える。
【発明の効果】
【００１５】
本発明によれば、医用情報を管理する医用画像管理装置において、保存されている全てのデータを移行することができる。
【図面の簡単な説明】
【００１６】
【図１】本発明の実施の形態における医用画像管理システムのシステム構成図である。
【図２】医用画像管理装置の機能的構成を示すブロック図である。
【図３】データ情報テーブルの構成例を示す図である。
【図４】医用画像管理装置において実行されるデータ移行処理を示すフローチャートである。
【図５】データ移行条件指定処理を示すフローチャートである。
【図６】ストレージ処理を示すフローチャートである。
【図７】元ファイルコピー処理を示すフローチャートである。
【発明を実施するための形態】
【００１７】
以下、本発明の一実施の形態について説明する。なお、本発明は、図示例に限定されるものではない。
図１に、医用画像管理システム１００のシステム構成を示す。図１に示すように、医用画像管理システム１００は、医用画像管理装置１０と、モダリティー２０と、クライアント端末３０とが、ＬＡＮ（Local Area Network）等の通信ネットワークＮを介してデータ通信可能に接続されて構成されている。通信ネットワークＮは、ＤＩＣＯＭ（Digital Imaging and Communications in Medicine）規格が適用されている。
【００１８】
医用画像管理装置１０は、ＰＡＣＳ（Picture Archiving and Communication System）により構成され、各種モダリティー２０により生成された医用画像の画像データのファイル（以下、画像ファイルという。）等の医用情報を保存し、クライアント端末３０等の外部機器からの要求に応じて、外部機器に医用情報を提供する。
【００１９】
画像ファイルには、ＤＩＣＯＭ規格に則った形式で生成されたＤＩＣＯＭファイルと、ＤＩＣＯＭファイル以外の画像ファイルと、が含まれる。
ＤＩＣＯＭファイルは、医用画像の画像データとヘッダーとから構成される。ヘッダーには、医用画像に関する付帯情報（患者情報、検査情報、シリーズ情報等）が格納されている。患者情報には、患者を識別するための患者ＩＤ、患者の氏名、性別、生年月日等の情報が含まれる。検査情報には、検査を識別するための検査ＩＤ、検査日時、検査条件等の情報が含まれる。シリーズ情報には、同一検査内においてシリーズを識別するためのシリーズ番号、検査部位等の情報が含まれる。
【００２０】
ＤＩＣＯＭファイル以外の画像ファイルとして、ＪＰＥＧ（Joint Photographic Experts Group）、ＧＩＦ（Graphics Interchange Format）、ＰＮＧ（Portable Network Graphics）、ＢＭＰ（Bitmap）等のファイル形式が挙げられる。
【００２１】
医用情報とは、患者に対して行われた撮影や検査に関する情報、診断結果を示す情報等の医療に係る情報をいう。
【００２２】
図２に、医用画像管理装置１０の機能的構成を示す。図２に示すように、医用画像管理装置１０は、制御部１１、操作部１２、表示部１３、通信部１４、記憶部１５、メディアドライブ１６等を備えて構成され、各部はバス１７により接続されている。
【００２３】
制御部１１は、ＣＰＵ（Central Processing Unit）等により構成され、医用画像管理装置１０の各部の処理動作を統括的に制御する。具体的には、制御部１１は、記憶部１５に記憶されている各種処理プログラムを読み出し、当該プログラムとの協働により各種処理を行う。
【００２４】
操作部１２は、カーソルキー、数字入力キー及び各種機能キー等を備えたキーボードと、マウス等のポインティングデバイスを備えて構成され、キーボードに対するキー操作やマウス操作により入力された操作信号を制御部１１に出力する。
【００２５】
表示部１３は、ＬＣＤ（Liquid Crystal Display）により構成され、制御部１１から入力される表示データに基づいて各種画面を表示する。
【００２６】
通信部１４は、モダリティー２０、クライアント端末３０等の外部機器との間でデータの送受信を行うインターフェースである。
【００２７】
記憶部１５は、ハードディスクや不揮発性の半導体メモリー等により構成され、各種データを記憶する。具体的には、記憶部１５には、医用情報、データ移行処理プログラムＰ、データ情報テーブルＴが記憶されている。
【００２８】
図３に、データ情報テーブルＴの構成例を示す。データ情報テーブルＴには、記憶部１５に記憶されている医用情報毎に、「データＩＤ」、「データ種別」、「モダリティー」、「患者ＩＤ」、「作成日時」、「更新日時」、「ファイル名」、「格納場所」等が対応付けられている。
【００２９】
「データＩＤ」は、データ情報テーブルＴ内の各レコードに付与された識別情報である。
「データ種別」は、医用情報がＤＩＣＯＭ形式のデータであるか、ＲＡＷデータであるか、Ｗｏｒｄのデータであるか、Ｅｘｃｅｌのデータであるか、ＰＤＦのデータであるか等を示す情報である。
「モダリティー」は、患者の撮影が行われ、画像が生成されたモダリティー２０を示す情報である。医用情報が画像ファイルでない場合には、「モダリティー」フィールドは空欄となる。
「患者ＩＤ」は、患者を一意に決定することができる患者の識別情報である。
「作成日時」は、データが作成された日時である。
「更新日時」は、データが更新された日時である。
【００３０】
「ファイル名」は、医用情報のファイル名である。
「格納場所」は、記憶部１５における医用情報のファイルの格納場所である。
【００３１】
メディアドライブ１６は、制御部１１からの制御信号に基づき、記憶媒体としてのメディアＭに記憶されているデータの読み出し、メディアＭへのデータの書き込みを行う。メディアＭとしては、ＣＤ−Ｒ、ＤＶＤ−Ｒ等が用いられる。
【００３２】
制御部１１は、クライアント端末３０から医用情報の取得要求があった場合に、要求された医用情報を記憶部１５から読み出し、通信部１４を介してクライアント端末３０に送信する。
【００３３】
制御部１１は、医用画像管理装置１０から他の医用画像管理装置（医用画像管理装置４０）に記憶部１５に記憶されている医用情報を移行する際に、移行対象の医用情報が所定の形式のファイルであるか否かを判断する。すなわち、制御部１１は、判断手段として機能する。
制御部１１は、移行対象の医用情報が所定の形式のファイルでないと判断した場合に、当該移行対象の医用情報のファイル形式を変換する。すなわち、制御部１１は、変換手段として機能する。
制御部１１は、所定の形式のファイルであると判断した移行対象の医用情報、及び、変換された後の移行対象の医用情報を、通信部１４を介して他の医用画像管理装置に送信する。すなわち、制御部１１と通信部１４は、送信手段として機能する。
【００３４】
具体的には、制御部１１は、データ移行先の医用画像管理装置においてＤＩＣＯＭ  ＰＤＦ形式のファイルを取り扱うことができない場合、又は、データ移行先の医用画像管理装置に対してＤＩＣＯＭ  ＰＤＦとしてファイルを送信することが指定されていない場合には、移行対象の医用情報が画像ファイルであるか否かを判断する。
制御部１１は、移行対象の医用情報が画像ファイルでないと判断した場合に、当該移行対象の医用情報を画像ファイルに変換し、当該画像ファイルをＤＩＣＯＭ形式のファイルに変換する。
【００３５】
医用情報の画像ファイルへの変換（イメージ変換）は、市販のライブラリー等を用いて行うことができる。例えば、ＰＤＦファイルをＪＰＥＧ等のファイル形式に変換する処理や、Ｗｏｒｄ、Ｅｘｃｅｌ等のファイルを、ＰＤＦファイルへの変換を経由してイメージ化する処理等が行われる。
画像ファイルのＤＩＣＯＭ形式のファイルへの変換（ＤＩＣＯＭ変換）は、画像ファイルに必要なタグ情報を付して、ＤＩＣＯＭ規格に準拠したファイルを生成する処理である。画像ファイル（イメージファイル）のＤＩＣＯＭ変換処理では、まず、ＤＩＣＯＭ化したいイメージをバイナリーデータに変換し、ヘッダー情報（必須となるヘッダー情報は、ＤＩＣＯＭ規格で決められている。）を確定する。そして、バイナリーデータとヘッダー情報からＤＩＣＯＭ形式のファイルを生成する。
【００３６】
また、制御部１１は、データ移行先の医用画像管理装置においてＤＩＣＯＭ  ＰＤＦ形式のファイルを取り扱うことが可能であって、データ移行先の医用画像管理装置に対してＤＩＣＯＭ  ＰＤＦとしてファイルを送信することが指定されている場合には、移行対象の医用情報が画像ファイルであるか否かを判断する。
制御部１１は、移行対象の医用情報が画像ファイルでないと判断した場合に、当該移行対象の医用情報をＰＤＦファイルに変換し、当該ＰＤＦファイルをＤＩＣＯＭ形式のファイルに変換する。
【００３７】
医用情報のＰＤＦファイルへの変換（ＰＤＦ変換）は、市販のライブラリー等を用いて行うことができる。また、Ｍｉｃｒｏｓｏｆｔのメソッドを用いてＰＤＦ変換を行うこともできる。例えば、ＷｏｒｄファイルからＰＤＦファイルへ変換する際には、Document.ExportAsFixedFormatメソッドが用いられ、ＥｘｃｅｌファイルからＰＤＦファイルへ変換する際には、Workbook.ExportAsFixedFormatメソッドが用いられる。
ＰＤＦファイルのＤＩＣＯＭ形式のファイルへの変換（ＤＩＣＯＭ変換）は、ＰＤＦファイルに必要なタグ情報を付して、ＤＩＣＯＭ規格に準拠したファイルを生成する処理である。ＰＤＦファイルのＤＩＣＯＭ変換処理では、通常のＰＤＦをバイナリーデータに変換し、ヘッダー情報を確定し、バイナリーデータとヘッダー情報からＤＩＣＯＭ形式のファイルを生成する。
【００３８】
制御部１１は、変換された移行対象の医用情報について、変換される前の医用情報を、他の医用画像管理装置の所定のディレクトリー、又は、所定の記憶媒体（メディアＭ）に出力する。すなわち、制御部１１は、出力手段として機能する。
変換される前の医用情報の出力先として、他の医用画像管理装置の所定のディレクトリーが指定された場合には、制御部１１は、変換される前の医用情報を他の医用画像管理装置の所定のディレクトリーに保存すべく、通信部１４を介して他の医用画像管理装置に送信する。
変換される前の医用情報の出力先として、所定の記憶媒体が指定された場合には、制御部１１は、メディアドライブ１６を制御して、変換される前の医用情報を所定の記憶媒体に書き込ませる。
【００３９】
モダリティー２０は、患者の診断対象部位を撮影し、撮影した画像をデジタル変換して医用画像を生成する。モダリティー２０は、例えば、ＣＴ、ＭＲＩ（Magnetic Resonance Imaging）等によって構成される。モダリティー２０は、ＤＩＣＯＭ規格に則って、付帯情報を医用画像の画像ファイルのヘッダーに書き込むことにより、医用画像に付帯情報を付帯させる。
【００４０】
クライアント端末３０は、医師が診断を行う際に、医用画像管理装置１０から取得した医用情報を表示するための装置であって、ＰＣ（Personal Computer）等から構成される。例えば、クライアント端末３０は、医用画像管理装置１０から取得した画像ファイルに基づいて医用画像を表示し、当該医用画像の読影を行う際に用いられる。
【００４１】
以上説明した医用画像管理システム１００において、医用画像管理装置１０を他の医用画像管理装置４０に置き換える場合を例にして説明する。医用画像管理装置１０から医用画像管理装置４０へのデータ移行時、医用画像管理装置４０も通信ネットワークＮに接続され、医用画像管理装置１０と医用画像管理装置４０とは、データ通信可能に接続される。医用画像管理装置４０は、医用画像管理装置１０と取り扱うことができるファイル形式が異なる可能性はあるが、それ以外の構成については、医用画像管理装置１０と同様である。
【００４２】
次に、動作について説明する。
図４は、医用画像管理装置１０において実行されるデータ移行処理を示すフローチャートである。この処理は、医用画像管理装置４０にデータを移行する際に行われる処理であって、制御部１１と記憶部１５に記憶されているデータ移行処理プログラムＰとの協働によるソフトウェア処理によって実現される。
【００４３】
まず、制御部１１は、ユーザーの操作部１２からの操作に基づいて、データ移行条件指定処理を行う（ステップＳ１）。
【００４４】
ここで、図５を参照して、データ移行条件指定処理について説明する。
ユーザーは、操作部１２からの操作により、移行対象とするデータの範囲を指定する（ステップＳ１１）。例えば、データの作成日時、患者（患者ＩＤ、患者氏名等での絞り込み）、データ種別、モダリティー等を指定する。制御部１１は、操作部１２から指定された移行対象とするデータの範囲を取得する。なお、記憶部１５に記憶されている全てのデータを移行対象とすることとしてもよい。
【００４５】
次に、ユーザーは、操作部１２からの操作により、データ移行の処理順番を指定する（ステップＳ１２）。例えば、作成日時が古い順、患者ＩＤの昇順等で処理順番を指定する。制御部１１は、操作部１２から指定されたデータ移行の処理順番を取得する。
【００４６】
次に、ユーザーは、操作部１２からの操作により、医用情報が変換された場合に、元ファイル（変換される前の医用情報）をコピーするか否かを指定する（ステップＳ１３）。制御部１１は、元ファイルをコピーするか否かを示す情報を取得する。
【００４７】
元ファイルをコピーすることが指定された場合には（ステップＳ１３；ＹＥＳ）、ユーザーは、元ファイルのコピー先を指定する（ステップＳ１４）。元ファイルのコピー先として、例えば、医用画像管理装置４０の所定のディレクトリー、メディアＭ、同一ネットワーク上のＰＣの共有フォルダー等が指定される。制御部１１は、操作部１２から指定された元ファイルのコピー先を取得する。
【００４８】
次に、ユーザーは、操作部１２からの操作により、コピー先において、患者ＩＤ毎にフォルダーを作成するか否かを指定する（ステップＳ１５）。患者ＩＤ毎にフォルダーを作成する場合には、指定された元ファイルのコピー先に、患者ＩＤ毎のフォルダーが作成され、各フォルダー内に該当患者のデータがコピーされることになる。一方、患者ＩＤ毎にフォルダーを作成しない場合には、指定された元ファイルのコピー先に元ファイルがコピーされることになる。制御部１１は、患者ＩＤ毎にフォルダーを作成するか否かを示す情報を取得する。
【００４９】
次に、ユーザーは、操作部１２からの操作により、コピーするファイルのファイル名を変更するか否かを指定する（ステップＳ１６）。記憶部１５に記憶されている医用情報のファイル名が重複のないユニークなものである場合には、ファイル名を変更する必要はない。制御部１１は、ファイル名を変更するか否かを示す情報を取得する。
【００５０】
ファイル名を変更することが指定された場合には（ステップＳ１６；ＹＥＳ）、ユーザーは、操作部１２からの操作により、ファイル名の命名規則を指定する（ステップＳ１７）。例えば、ファイル名に、患者氏名とデータの作成日時を入れる等、ファイル名が重ならないような規則を設定する。制御部１１は、操作部１２から指定されたファイル名の命名規則を取得する。
【００５１】
ステップＳ１３において、元ファイルをコピーすることが指定されなかった場合（ステップＳ１３；ＮＯ）、ステップＳ１６において、ファイル名を変更することが指定されなかった場合（ステップＳ１６；ＮＯ）、又は、ステップＳ１７の後、ユーザーは、操作部１２からの操作により、ＤＩＣＯＭ  ＰＤＦとしてファイルを送信するか否かを指定する（ステップＳ１８）。制御部１１は、ＤＩＣＯＭ  ＰＤＦとしてファイルを送信するか否かを示す情報を取得する。
以上で、データ移行条件指定処理が終了する。
【００５２】
図４に戻り、制御部１１は、記憶部１５に記憶されているデータ情報テーブルＴを参照して、指定された条件（移行対象とするデータの範囲）に基づいて、移行対象データを検索する（ステップＳ２）。そして、制御部１１は、指定された条件に合致するデータをデータ情報テーブルＴから抽出する。
【００５３】
次に、制御部１１は、未処理の移行対象データがあるか否かを判断する（ステップＳ３）。未処理の移行対象データがある場合には（ステップＳ３；ＹＥＳ）、制御部１１は、指定されたデータ移行の処理順番に従って、次に処理対象とするデータを設定する（ステップＳ４）。
【００５４】
次に、制御部１１は、処理対象として設定された移行対象データに対し、ストレージ処理を行う（ステップＳ５）。
【００５５】
ここで、図６を参照して、ストレージ処理について説明する。
制御部１１は、ＤＩＣＯＭ  ＰＤＦとしての送信が指定されているか否かを判断する（ステップＳ２１）。ＤＩＣＯＭ  ＰＤＦとしての送信が指定されている場合には（ステップＳ２１；ＹＥＳ）、制御部１１は、移行対象データがＰＤＦファイルであるか否かを判断する（ステップＳ２２）。具体的には、制御部１１は、データ情報テーブルＴの移行対象データに対応する「データ種別」を取得し、移行対象データがＰＤＦファイルであるか否かを判断する。
【００５６】
移行対象データがＰＤＦファイルでない場合には（ステップＳ２２；ＮＯ）、制御部１１は、移行対象データが画像ファイルであるか否かを判断する（ステップＳ２３）。具体的には、制御部１１は、データ情報テーブルＴの移行対象データに対応する「データ種別」を取得し、「データ種別」がＷｏｒｄ、Ｅｘｃｅｌ等である場合には、画像ファイルでないと判断する。
【００５７】
移行対象データが画像ファイルでない場合には（ステップＳ２３；ＮＯ）、制御部１１は、移行対象データに対して、ＰＤＦ変換処理を行い、ＰＤＦ形式のファイルを生成する（ステップＳ２４）。
【００５８】
ステップＳ２１において、ＤＩＣＯＭ  ＰＤＦとしての送信が指定されていない場合には（ステップＳ２１；ＮＯ）、制御部１１は、移行対象データが画像ファイルであるか否かを判断する（ステップＳ２５）。具体的には、制御部１１は、データ情報テーブルＴの移行対象データに対応する「データ種別」を取得し、「データ種別」がＷｏｒｄ、Ｅｘｃｅｌ、ＰＤＦ等である場合には、画像ファイルでないと判断する。
【００５９】
移行対象データが画像ファイルでない場合には（ステップＳ２５；ＮＯ）、制御部１１は、移行対象データに対して、イメージ変換処理を行い、画像ファイルを生成する（ステップＳ２６）。イメージ変換処理により、例えば、ＪＰＥＧ、ＧＩＦ、ＰＮＧ、ＢＭＰ等のファイル形式の画像ファイルが生成される。
【００６０】
ステップＳ２２において、移行対象データがＰＤＦファイルである場合（ステップＳ２２；ＹＥＳ）、ステップＳ２３において、移行対象データが画像ファイルである場合（ステップＳ２３；ＹＥＳ）、ステップＳ２５において、移行対象データが画像ファイルである場合（ステップＳ２５；ＹＥＳ）、ステップＳ２４の後、又は、ステップＳ２６の後、制御部１１は、移行対象データがＤＩＣＯＭ形式のファイルであるか否かを判断する（ステップＳ２７）。具体的には、制御部１１は、データ情報テーブルＴの移行対象データに対応する「データ種別」を取得し、「データ種別」がＤＩＣＯＭでない場合には、ＤＩＣＯＭ形式のファイルでないと判断する。ステップＳ２４でＰＤＦ化されたもの、ステップＳ２６で画像ファイル化（イメージ変換）されたもの、ＲＡＷデータ（医用画像管理装置１０がコンソールとして取り込んだ画像）として保存されているものは、ＤＩＣＯＭ形式のファイルではない。
【００６１】
移行対象データがＤＩＣＯＭ形式のファイルでない場合には（ステップＳ２７；ＮＯ）、制御部１１は、移行対象データに対して、ＤＩＣＯＭ変換処理を行う（ステップＳ２８）。具体的には、制御部１１は、移行対象データのヘッダーに付帯情報を書き込むことにより、ＤＩＣＯＭ形式のファイルを生成する。
【００６２】
ステップＳ２７において、移行対象データがＤＩＣＯＭ形式のファイルである場合（ステップＳ２７；ＹＥＳ）、又は、ステップＳ２８の後、制御部１１は、移行対象データに対して、ＤＩＣＯＭ  Ｓｔｏｒａｇｅ処理を行う。ＤＩＣＯＭ  Ｓｔｏｒａｇｅ処理は、ＤＩＣＯＭ規格で定義されているサービスであり、画像を画像サーバー等に保管する際に用いられる。具体的には、制御部１１は、移行先の医用画像管理装置４０にデータを保存すべく、通信部１４を介して、医用画像管理装置４０へ移行対象データ（ＤＩＣＯＭ形式のファイル）を送信する（ステップＳ２９）。
以上で、ストレージ処理が終了する。
【００６３】
ストレージ処理において、元々ＤＩＣＯＭ形式の医用情報については、そのまま移行先の医用画像管理装置４０に送信され、ＰＤＦ化・画像ファイル化・ＤＩＣＯＭ化が必要な医用情報については、変換後の医用情報が医用画像管理装置４０に送信される。
【００６４】
図４に戻り、制御部１１は、移行対象データに対して何らかの変換（ＰＤＦ変換処理・イメージ変換処理・ＤＩＣＯＭ変換処理）が行われたか否かを判断する（ステップＳ６）。移行対象データに対して何らかの変換が行われた場合には（ステップＳ６；ＹＥＳ）、制御部１１は、元ファイルをコピーすることが指定されているか否かを判断する（ステップＳ７）。
【００６５】
元ファイルをコピーすることが指定されている場合には（ステップＳ７；ＹＥＳ）、制御部１１は、処理対象として設定された移行対象データに対し、元ファイルコピー処理を行う（ステップＳ８）。
【００６６】
ここで、図７を参照して、元ファイルコピー処理について説明する。
制御部１１は、患者ＩＤ毎にフォルダーを作成することが指定されているか否かを判断する（ステップＳ３１）。患者ＩＤ毎にフォルダーを作成することが指定されている場合には（ステップＳ３１；ＹＥＳ）、制御部１１は、コピー先として指定されているディレクトリー（データ移行先の医用画像管理装置４０の記憶部、メディアドライブ１６のメディアＭ等）に患者ＩＤが付された患者ＩＤフォルダーがあるか否かを判断する（ステップＳ３２）。
【００６７】
コピー先として指定されているディレクトリーに患者ＩＤフォルダーがない場合には（ステップＳ３２；ＮＯ）、制御部１１は、指定先のディレクトリーに患者ＩＤ毎のフォルダーを作成する（ステップＳ３３）。
【００６８】
ステップＳ３１において、患者ＩＤ毎にフォルダーを作成することが指定されていない場合（ステップＳ３１；ＮＯ）、ステップＳ３２において、コピー先として指定されているディレクトリーに患者ＩＤフォルダーが既にある場合（ステップＳ３２；ＹＥＳ）、又は、ステップＳ３３の後、制御部１１は、元ファイルのファイル名を変更することが指定されているか否かを判断する（ステップＳ３４）。
【００６９】
ファイル名を変更することが指定されている場合には（ステップＳ３４；ＹＥＳ）、制御部１１は、指定された命名規則に従って、ファイル名を決定する（ステップＳ３５）。
【００７０】
ステップＳ３４において、ファイル名を変更することが指定されていない場合（ステップＳ３４；ＮＯ）、又は、ステップＳ３５の後、制御部１１は、元ファイルを指定先のディレクトリーにコピーする（ステップＳ３６）。この際、制御部１１は、患者ＩＤ毎にフォルダーを作成することが指定されている場合には、患者ＩＤフォルダー内に元ファイルをコピーする。また、制御部１１は、ファイル名を変更することが指定されている場合には、ステップＳ３５で決定したファイル名に変更して元ファイルをコピーする。
以上で、元ファイルコピー処理が終了する。
【００７１】
図４に戻り、ステップＳ６において、移行対象データに対して変換が行われていない場合（ステップＳ６；ＮＯ）、ステップＳ７において、元ファイルをコピーすることが指定されていない場合（ステップＳ７；ＮＯ）、又は、ステップＳ８の後、ステップＳ３に戻り、処理が繰り返される。
【００７２】
ステップＳ３において、未処理の移行対象データがない場合（ステップＳ３；ＮＯ）、すなわち、全ての移行対象データに対して処理が終了した場合には、データ移行処理が終了する。
【００７３】
データ移行処理の終了後、医用画像管理システム１００では、医用画像管理装置１０と医用画像管理装置４０のうち、医用画像管理装置４０のみが通信ネットワークＮに接続された状態とされ、医用画像管理装置１０については、通信ネットワークＮとの接続が解除される。この後、医用画像管理システム１００では、医用画像管理装置４０に医用情報が蓄積される。
【００７４】
以上説明したように、本実施の形態によれば、医用情報を管理する医用画像管理装置１０において、移行対象の医用情報が所定の形式のファイルでないと判断された場合に、当該移行対象の医用情報のファイル形式を変換するので、医用画像管理装置１０に保存されている全てのデータを移行することができる。特に、多様なファイル形式を取り扱うことが可能な医用画像管理装置から、限られたファイル形式のみを取り扱うこと可能な医用画像管理装置（一般的なＰＡＣＳ）へと置き換える際に、データを移行できないという問題を回避することができる。
【００７５】
例えば、データ移行先の医用画像管理装置４０においてＤＩＣＯＭ  ＰＤＦ形式のファイルを取り扱うことができない状況、又は、データ移行先の医用画像管理装置４０に対してＤＩＣＯＭ  ＰＤＦとしてファイルを送信することが指定されていない状況で、移行対象の医用情報が画像ファイルでない場合には、移行対象の医用情報を画像ファイルに変換し、当該画像ファイルをＤＩＣＯＭ形式のファイルに変換することで、医用画像管理装置４０において取り扱うことが可能なファイル形式で、医用情報を医用画像管理装置４０に送信することができる。
【００７６】
また、データ移行先の医用画像管理装置４０においてＤＩＣＯＭ  ＰＤＦ形式のファイルを取り扱うことが可能であって、データ移行先の医用画像管理装置４０に対してＤＩＣＯＭ  ＰＤＦとしてファイルを送信することが指定されている状況で、移行対象の医用情報が画像ファイルでない場合には、移行対象の医用情報をＰＤＦファイルに変換し、当該ＰＤＦファイルをＤＩＣＯＭ形式のファイルに変換することで、医用画像管理装置４０において取り扱うことが可能なファイル形式で、医用情報を医用画像管理装置４０に送信することができる。
【００７７】
また、変換された移行対象の医用情報について、元ファイルをコピーすることが指定されている場合には、変換される前の医用情報を、医用画像管理装置４０の所定のディレクトリーやメディアＭに出力するので、後に元ファイルを参照したり編集したりすることができる。また、変換された移行対象の医用情報の元ファイルについては、残さないことを選択することもできる。
【００７８】
なお、上記実施の形態における記述は、本発明に係る医用画像管理装置の例であり、これに限定されるものではない。装置を構成する各部の細部構成及び細部動作に関しても本発明の趣旨を逸脱することのない範囲で適宜変更可能である。
【００７９】
例えば、上記実施の形態では、移行対象の医用情報に対して、ファイル形式の変換が必要であれば変換し、その後移行（データ送信）するという処理を一つ一つ順に行う場合について説明したが、予め変換が必要な全ての医用情報に対して変換を済ませた後、まとめて移行することとしてもよい。
【００８０】
以上の説明では、各処理を実行するためのプログラムを格納したコンピューター読み取り可能な媒体としてハードディスクや不揮発性の半導体メモリー等を使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００８１】
１０  医用画像管理装置
１１  制御部
１４  通信部
１５  記憶部
１６  メディアドライブ
２０  モダリティー
３０  クライアント端末
４０  医用画像管理装置
１００  医用画像管理システム
Ｍ  メディア
Ｎ  通信ネットワーク
Ｐ  データ移行処理プログラム
Ｔ  データ情報テーブル
【図１】
2017130076.tif 000003
【図２】
2017130076.tif 000004
【図３】
2017130076.tif 000005
【図４】
2017130076.tif 000006
【図５】
2017130076.tif 000007
【図６】
2017130076.tif 000008
【図７】
2017130076.tif 000009